(57)【要約】【課題】飛行性能に優れたゴルフボール２の提供。【解決手段】ゴルフボール２は、その表面に多数のディンプル１０を有している。このゴルフボール２の仮想球に、１５の軸が想定される。それぞれの軸を中心としたバックスピンのときの、ゴルフボール２の表面の所定領域にある３０２４０の点が決定される。それぞれの点から軸に降ろした垂線の長さＬ１が、算出される。軸方向に並ぶ２１個の垂線に基づいて算出された２１個の長さＬ１が合計され、総長さＬ２が算出される。回転方向に沿って算出される１４４０個の総長さＬ２のデータ群に、フーリエ変換がなされ、変換データ群が得られる。この変換データ群の最大ピークのピーク値及び次数が算出される。１５のピーク値の最小値は、９５ｍｍ以上である。【選択図】図１
2018094129.tif 000002
【特許請求の範囲】
【請求項１】
その表面に複数のディンプルを備えたゴルフボールであって、
上記ゴルフボールの仮想球の表面に位置しており緯度がθ（degree）であり経度がφ（degree）である点の球面極座標が（θ，φ）で表されるとき、
（１）座標が（７５，２７０）である点Ｐｎ１と座標が（−７５，９０）である点Ｐｓ１とを通過する第一軸Ａｘ１、
（２）座標が（６０，２７０）である点Ｐｎ２と座標が（−６０，９０）である点Ｐｓ２とを通過する第二軸Ａｘ２、
（３）座標が（４５，２７０）である点Ｐｎ３と座標が（−４５，９０）である点Ｐｓ３とを通過する第三軸Ａｘ３、
（４）座標が（３０，２７０）である点Ｐｎ４と座標が（−３０，９０）である点Ｐｓ４とを通過する第四軸Ａｘ４、
（５）座標が（１５，２７０）である点Ｐｎ５と座標が（−１５，９０）である点Ｐｓ５とを通過する第五軸Ａｘ５、
（６）座標が（７５，０）である点Ｐｎ６と座標が（−７５，１８０）である点Ｐｓ６とを通過する第六軸Ａｘ６、
（７）座標が（６０，０）である点Ｐｎ７と座標が（−６０，１８０）である点Ｐｓ７とを通過する第七軸Ａｘ７、
（８）座標が（４５，０）である点Ｐｎ８と座標が（−４５，１８０）である点Ｐｓ８とを通過する第八軸Ａｘ８、
（９）座標が（３０，０）である点Ｐｎ９と座標が（−３０，１８０）である点Ｐｓ９とを通過する第九軸Ａｘ９、
（１０）座標が（１５，０）である点Ｐｎ１０と座標が（−１５，１８０）である点Ｐｓ１０とを通過する第十軸Ａｘ１０、
（１１）座標が（７５，９０）である点Ｐｎ１１と座標が（−７５，２７０）である点Ｐｓ１１とを通過する第十一軸Ａｘ１１、
（１２）座標が（６０，９０）である点Ｐｎ１２と座標が（−６０，２７０）である点Ｐｓ１２とを通過する第十二軸Ａｘ１２、
（１３）座標が（４５，９０）である点Ｐｎ１３と座標が（−４５，２７０）である点Ｐｓ１３とを通過する第十三軸Ａｘ１３、
（１４）座標が（３０，９０）である点Ｐｎ１４と座標が（−３０，２７０）である点Ｐｓ１４とを通過する第十四軸Ａｘ１４、
及び
（１５）座標が（１５，９０）である点Ｐｎ１５と座標が（−１５，２７０）である点Ｐ１５ｓとを通過する第十五軸Ａｘ１５
の、１５の軸Ａｘのそれぞれについて、
（ａ）上記仮想球の表面に存在し、かつ上記軸Ａｘと直交する大円が想定されるステップ、
（ｂ）上記仮想球の表面に存在し、上記軸Ａｘと直交し、かつ上記大円との中心角の絶対値が３０°である２つの小円が想定されるステップ、
（ｃ）これらの小円によりゴルフボールの表面が区画され、この表面のうちこれら小円に挟まれた領域が特定されるステップ、
（ｄ）上記領域に、軸方向において中心角度で３°刻みであり回転方向において中心角で０．２５°刻みに、３０２４０の点が決定されるステップ、
（ｅ）それぞれの点から上記軸Ａｘに下ろした垂線の長さＬ１が算出されるステップ、
（ｆ）軸方向に並ぶ２１個の垂線に基づいて算出された２１個の長さＬ１が合計され、総長さＬ２が算出されるステップ、
（ｇ）回転方向に沿って算出される１４４０個の総長さＬ２のデータ群に、フーリエ変換がなされ、変換データ群が得られるステップ、
並びに
（ｈ）上記変換データ群の最大ピークのピーク値及び次数が算出されるステップ
が実行されることにより得られた１５のピーク値の最小値が、９５ｍｍ以上であり、
上記ステップ（ａ）−（ｈ）が実行されることにより得られた１５の次数の最小値が２７以上であり、
上記ステップ（ａ）−（ｈ）が実行されることにより得られた１５の次数の最大値が３７以下であり、
上記ステップ（ａ）−（ｈ）が実行されることにより得られた１５の次数の平均値が３０以上３４以下であるゴルフボール。
【請求項２】
上記ステップ（ａ）−（ｈ）が実行されることにより得られた１５のピーク値の平均が２００ｍｍ以上である請求項１に記載のゴルフボール。
【請求項３】
上記ディンプルの総容積が４５０ｍｍ３以上７５０ｍｍ３以下である請求項１又は２に記載のゴルフボール。
【発明の詳細な説明】
【技術分野】
【０００１】
本発明は、ゴルフボールに関する。詳細には、本発明は、ゴルフボールのディンプルパターンに関する。
【背景技術】
【０００２】
ゴルフクラブのフェースは、ロフト角を有している。このゴルフクラブでゴルフボールが打撃されると、ゴルフボールに、ロフト角に起因するバックスピンが生じる。ゴルフボールは、バックスピンを伴って飛行する。
【０００３】
ゴルフボールは、その表面に多数のディンプルを備えている。ディンプルは、飛行時のゴルフボール周りの空気の流れを乱し、乱流剥離を起こさせる。この現象は、「乱流化」と称される。乱流化によって空気のゴルフボールからの剥離点が後方にシフトし、抗力が低減される。乱流化によってバックスピンに起因するゴルフボールの上側剥離点と下側剥離点とのズレが助長され、ゴルフボールに作用する揚力が高められる。抗力の低減及び揚力の向上は、「ディンプル効果」と称される。優れたディンプルは、よりよく空気の流れを乱す。優れたディンプルは、大きな飛距離を生む。
【０００４】
ディンプルに関する種々の提案が、なされている。特開平４−１０９９６８号公報には、半球のディンプルパターンが６のユニットに区画されうるゴルフボールが開示されている。特開２００４−２４３１２４公報には、極点近傍のディンプルパターンが４のユニットに区画され、かつ赤道近傍のディンプルパターンが５のユニットに区画されうるゴルフボールが開示されている。特開２０１１−１０６６７公報には、ディンプル形状に依存するパラメータが所定範囲内であるゴルフボールが開示されている。
【先行技術文献】
【特許文献】
【０００５】
【特許文献１】特開平４−１０９９６８号公報
【特許文献２】特開２００４−２４３１２４公報
【特許文献３】特開２０１１−１０６６７公報
【発明の概要】
【発明が解決しようとする課題】
【０００６】
ゴルフボールに対するゴルフプレーヤーの最大の関心事は、飛行性能である。プレーヤーは、飛行性能に優れたゴルフボールを望んでいる。飛行性能の観点から、ディンプルには改良の余地がある。
【０００７】
本発明の目的は、飛行性能に優れたゴルフボールの提供にある。
【課題を解決するための手段】
【０００８】
本発明に係るゴルフボールは、その表面に複数のディンプルを備える。このゴルフボールの仮想球の表面に位置しており緯度がθ（degree）であり経度がφ（degree）である点の球面極座標が（θ，φ）で表されるとき、
（１）座標が（７５，２７０）である点Ｐｎ１と座標が（−７５，９０）である点Ｐｓ１とを通過する第一軸Ａｘ１、
（２）座標が（６０，２７０）である点Ｐｎ２と座標が（−６０，９０）である点Ｐｓ２とを通過する第二軸Ａｘ２、
（３）座標が（４５，２７０）である点Ｐｎ３と座標が（−４５，９０）である点Ｐｓ３とを通過する第三軸Ａｘ３、
（４）座標が（３０，２７０）である点Ｐｎ４と座標が（−３０，９０）である点Ｐｓ４とを通過する第四軸Ａｘ４、
（５）座標が（１５，２７０）である点Ｐｎ５と座標が（−１５，９０）である点Ｐｓ５とを通過する第五軸Ａｘ５、
（６）座標が（７５，０）である点Ｐｎ６と座標が（−７５，１８０）である点Ｐｓ６とを通過する第六軸Ａｘ６、
（７）座標が（６０，０）である点Ｐｎ７と座標が（−６０，１８０）である点Ｐｓ７とを通過する第七軸Ａｘ７、
（８）座標が（４５，０）である点Ｐｎ８と座標が（−４５，１８０）である点Ｐｓ８とを通過する第八軸Ａｘ８、
（９）座標が（３０，０）である点Ｐｎ９と座標が（−３０，１８０）である点Ｐｓ９とを通過する第九軸Ａｘ９、
（１０）座標が（１５，０）である点Ｐｎ１０と座標が（−１５，１８０）である点Ｐｓ１０とを通過する第十軸Ａｘ１０、
（１１）座標が（７５，９０）である点Ｐｎ１１と座標が（−７５，２７０）である点Ｐｓ１１とを通過する第十一軸Ａｘ１１、
（１２）座標が（６０，９０）である点Ｐｎ１２と座標が（−６０，２７０）である点Ｐｓ１２とを通過する第十二軸Ａｘ１２、
（１３）座標が（４５，９０）である点Ｐｎ１３と座標が（−４５，２７０）である点Ｐｓ１３とを通過する第十三軸Ａｘ１３、
（１４）座標が（３０，９０）である点Ｐｎ１４と座標が（−３０，２７０）である点Ｐｓ１４とを通過する第十四軸Ａｘ１４、
及び
（１５）座標が（１５，９０）である点Ｐｎ１５と座標が（−１５，２７０）である点Ｐ１５ｓとを通過する第十五軸Ａｘ１５
の、１５の軸Ａｘのそれぞれについて、
（ａ）上記仮想球の表面に存在し、かつ上記軸Ａｘと直交する大円が想定されるステップ、
（ｂ）上記仮想球の表面に存在し、上記軸Ａｘと直交し、かつ上記大円との中心角の絶対値が３０°である２つの小円が想定されるステップ、
（ｃ）これらの小円によりゴルフボールの表面が区画され、この表面のうちこれら小円に挟まれた領域が特定されるステップ、
（ｄ）上記領域に、軸方向において中心角度で３°刻みであり回転方向において中心角で０．２５°刻みに、３０２４０の点が決定されるステップ、
（ｅ）それぞれの点から上記軸Ａｘに下ろした垂線の長さＬ１が算出されるステップ、
（ｆ）軸方向に並ぶ２１個の垂線に基づいて算出された２１個の長さＬ１が合計され、総長さＬ２が算出されるステップ、
（ｇ）回転方向に沿って算出される１４４０個の総長さＬ２のデータ群に、フーリエ変換がなされ、変換データ群が得られるステップ、
並びに
（ｈ）上記変換データ群の最大ピークのピーク値及び次数が算出されるステップ
が実行されることにより得られた１５のピーク値の最小値は、９５ｍｍ以上である。これらのステップ（ａ）−（ｈ）が実行されることにより得られた１５の次数の最小値は、２７以上である。これらのステップ（ａ）−（ｈ）が実行されることにより得られた１５の次数の最大値は、３７以下である。これらのステップ（ａ）−（ｈ）が実行されることにより得られた１５の次数の平均値は、３０以上３４以下である。
【０００９】
好ましくは、これらのステップ（ａ）−（ｈ）が実行されることにより得られた１５のピーク値の平均は、２００ｍｍ以上である。
【００１０】
好ましくは、ディンプルの総容積は、４５０ｍｍ３以上７５０ｍｍ３以下である。
【発明の効果】
【００１１】
本発明に係るゴルフボールが飛行するときの揚力係数及び抗力係数は、適正である。このゴルフボールは、飛行性能に優れる。
【図面の簡単な説明】
【００１２】
【図１】図１は、本発明の一実施形態に係るゴルフボールが示された模式的断面図である。
【図２】図２は、図１のゴルフボールが示された拡大正面図である。
【図３】図３は、図２のゴルフボールが示された平面図である。
【図４】図４は、図１のゴルフボールの一部が示された拡大断面図である。
【図５】図５は、図２のゴルフボールの評価方法が説明されるための模式図である。
【図６】図６は、図２のゴルフボールの評価方法が説明されるための模式図である。
【図７】図７は、図２のゴルフボールの評価方法が説明されるための模式的断面図である。
【図８】図８は、図２のゴルフボールの評価方法が説明されるための模式的断面図である。
【図９】図９は、図２のゴルフボールの評価結果が示されたグラフである。
【図１０】図１０は、図２のゴルフボールの評価結果が示されたグラフである。
【図１１】図１１は、図２のゴルフボールの評価方法が説明されるための模式図である。
【図１２】図１２は、図２のゴルフボールの評価方法が説明されるための模式図である。
【図１３】図１３は、図２のゴルフボールの評価方法が説明されるための模式図である。
【図１４】図１４は、図２のゴルフボールの評価方法が説明されるための模式図である。
【図１５】図１５は、図２のゴルフボールの評価方法が説明されるための模式図である。
【図１６】図１６は、図２のゴルフボールの評価方法が説明されるための模式図である。
【図１７】図１７は、図２のゴルフボールの評価方法が説明されるための模式図である。
【図１８】図１８は、図２のゴルフボールの評価方法が説明されるための模式図である。
【図１９】図１９は、図２のゴルフボールの評価方法が説明されるための模式図である。
【図２０】図２０は、図２のゴルフボールの評価方法が説明されるための模式図である。
【図２１】図２１は、図２のゴルフボールの評価方法が説明されるための模式図である。
【図２２】図２２は、図２のゴルフボールの評価方法が説明されるための模式図である。
【図２３】図２３は、図２のゴルフボールの評価方法が説明されるための模式図である。
【図２４】図２４は、図２のゴルフボールの評価方法が説明されるための模式図である。
【図２５】図２５は、本発明の実施例２に係るゴルフボールが示された正面図である。
【図２６】図２６は、図２５のゴルフボールが示された平面図である。
【図２７】図２７は、本発明の実施例３に係るゴルフボールが示された正面図である。
【図２８】図２８は、図２７のゴルフボールが示された平面図である。
【図２９】図２９は、比較例１に係るゴルフボールが示された正面図である。
【図３０】図３０は、図２９のゴルフボールが示された平面図である。
【図３１】図３１は、比較例２に係るゴルフボールが示された正面図である。
【図３２】図３２は、図３１のゴルフボールが示された平面図である。
【図３３】図３３は、比較例３に係るゴルフボールが示された正面図である。
【図３４】図３４は、図３３のゴルフボールが示された平面図である。
【図３５】図３５は、比較例４に係るゴルフボールが示された正面図である。
【図３６】図３６は、図３５のゴルフボールが示された平面図である。
【発明を実施するための形態】
【００１３】
以下、適宜図面が参照されつつ、好ましい実施形態に基づいて本発明が詳細に説明される。
【００１４】
図１に示されたゴルフボール２は、球状のコア４と、このコア４の外側に位置する中間層６と、この中間層６の外側に位置するカバー８とを備えている。このゴルフボール２は、その表面に多数のディンプル１０を有している。ゴルフボール２の表面のうちディンプル１０以外の部分は、ランド１２である。このゴルフボール２は、カバー８の外側にペイント層及びマーク層を備えているが、これらの層の図示は省略されている。
【００１５】
このゴルフボール２の直径は、４０ｍｍ以上４５ｍｍ以下が好ましい。米国ゴルフ協会（ＵＳＧＡ）の規格が満たされるとの観点から、直径は４２．６７ｍｍ以上が特に好ましい。空気抵抗抑制の観点から、直径は４４ｍｍ以下がより好ましく、４２．８０ｍｍ以下が特に好ましい。
【００１６】
このゴルフボール２の質量は、４０ｇ以上５０ｇ以下が好ましい。大きな慣性が得られるとの観点から、質量は４４ｇ以上がより好ましく、４５．００ｇ以上が特に好ましい。ＵＳＧＡの規格が満たされるとの観点から、質量は４５．９３ｇ以下が特に好ましい。
【００１７】
コア４は、ゴム組成物が架橋されることによって形成されている。ゴム組成物の基材ゴムとして、ポリブタジエン、ポリイソプレン、スチレン−ブタジエン共重合体、エチレン−プロピレン−ジエン共重合体及び天然ゴムが例示される。２種以上のゴムが併用されてもよい。反発性能の観点から、ポリブタジエンが好ましく、特にハイシスポリブタジエンが好ましい。
【００１８】
コア４のゴム組成物は、共架橋剤を含んでいる。反発性能の観点から好ましい共架橋剤は、アクリル酸亜鉛、アクリル酸マグネシウム、メタクリル酸亜鉛及びメタクリル酸マグネシウムである。ゴム組成物が、共架橋剤と共に有機過酸化物を含むことが好ましい。好ましい有機過酸化物として、ジクミルパーオキサイド、１，１−ビス（ｔ−ブチルパーオキシ）−３，３，５−トリメチルシクロヘキサン、２，５−ジメチル−２，５−ジ（ｔ−ブチルパーオキシ）ヘキサン及びジ−ｔ−ブチルパーオキサイドが挙げられる。
【００１９】
コア４のゴム組成物が、充填剤、硫黄、加硫促進剤、硫黄化合物、老化防止剤、着色剤、可塑剤及び分散剤のような添加剤を含んでもよい。ゴム組成物が、カルボン酸又はカルボン酸塩を含んでもよい。ゴム組成物が、合成樹脂粉末又は架橋されたゴム粉末を含んでもよい。
【００２０】
コア４の直径は３０．０ｍｍ以上が好ましく、３８．０ｍｍ以上が特に好ましい。コア４の直径は４２．０ｍｍ以下が好ましく、４１．５ｍｍ以下が特に好ましい。コア４が、２以上の層を有してもよい。コア４が、その表面にリブを有してもよい。コア４が中空であってもよい。
【００２１】
中間層６は、樹脂組成物からなる。この樹脂組成物の好ましい基材ポリマーは、アイオノマー樹脂である。好ましいアイオノマー樹脂として、α−オレフィンと炭素数が３以上８以下のα，β−不飽和カルボン酸との二元共重合体が挙げられる。好ましい他のアイオノマー樹脂として、α−オレフィンと炭素数が３以上８以下のα，β−不飽和カルボン酸と炭素数が２以上２２以下のα，β−不飽和カルボン酸エステルとの三元共重合体が挙げられる。この二元共重合体及び三元共重合体において、好ましいα−オレフィンはエチレン及びプロピレンであり、好ましいα，β−不飽和カルボン酸はアクリル酸及びメタクリル酸である。この二元共重合体及び三元共重合体において、カルボキシル基の一部は金属イオンで中和されている。中和のための金属イオンとして、ナトリウムイオン、カリウムイオン、リチウムイオン、亜鉛イオン、カルシウムイオン、マグネシウムイオン、アルミニウムイオン及びネオジムイオンが例示される。
【００２２】
アイオノマー樹脂に代えて、中間層６の樹脂組成物が他のポリマーを含んでもよい。他のポリマーとして、ポリスチレン、ポリアミド、ポリエステル、ポリオレフィン及びポリウレタンが例示される。樹脂組成物が、２種以上のポリマーを含んでもよい。
【００２３】
中間層６の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。比重調整の目的で、この樹脂組成物がタングステン、モリブデン等の高比重金属の粉末を含んでもよい。
【００２４】
中間層６の厚みは０．２ｍｍ以上が好ましく、０．３ｍｍ以上が特に好ましい。中間層６の厚みは２．５ｍｍ以下が好ましく、２．２ｍｍ以下が特に好ましい。中間層６の比重は０．９０以上が好ましく、０．９５以上が特に好ましい。中間層６の比重は１．１０以下が好ましく、１．０５以下が特に好ましい。中間層６が、２以上の層を有してもよい。
【００２５】
カバー８は、樹脂組成物からなる。この樹脂組成物の好ましい基材ポリマーは、ポリウレタンである。樹脂組成物が、熱可塑性ポリウレタンを含んでもよく、熱硬化性ポリウレタンを含んでもよい。生産性の観点から、熱可塑性ポリウレタンが好ましい。熱可塑性ポリウレタンは、ハードセグメントとしてのポリウレタン成分と、ソフトセグメントとしてのポリエステル成分又はポリエーテル成分とを含む。
【００２６】
ポリウレタンは、分子内にウレタン結合を有する。このウレタン結合は、ポリオールとポリイソシアネートとの反応によって形成されうる。
【００２７】
ウレタン結合の原料であるポリオールは、複数のヒドロキシル基を有する。低分子量ポリオール及び高分子量ポリオールが用いられうる。
【００２８】
ポリウレタン成分のイソシアネートとして、脂環式ジイソシアネート、芳香族ジイソシアネート及び脂肪族ジイソシアネートが例示される。特に、脂環式ジイソシアネートが好ましい。脂環式ジイソシアネートは主鎖に二重結合を有さないので、カバー８の黄変が抑制される。脂環式ジイソシアネートとして、４，４’−ジシクロヘキシルメタンジイソシアネート（Ｈ１２ＭＤＩ）、１，３−ビス（イソシアナトメチル）シクロヘキサン（Ｈ６ＸＤＩ）、イソホロンジイソシアネート（ＩＰＤＩ）及びトランス−１，４−シクロヘキサンジイソシアネート（ＣＨＤＩ）が例示される。汎用性及び加工性の観点から、Ｈ１２ＭＤＩが好ましい。
【００２９】
ポリウレタンに代えて、カバー８の樹脂組成物が他のポリマーを含んでもよい。他のポリマーとして、アイオノマー樹脂、ポリスチレン、ポリアミド、ポリエステル及びポリオレフィンが例示される。樹脂組成物が、２種以上のポリマーを含んでもよい。
【００３０】
カバー８の樹脂組成物が、二酸化チタンのような着色剤、硫酸バリウムのような充填剤、分散剤、酸化防止剤、紫外線吸収剤、光安定剤、蛍光剤、蛍光増白剤等を含んでもよい。
【００３１】
カバー８の厚みは０．２ｍｍ以上が好ましく、０．３ｍｍ以上が特に好ましい。カバー８の厚みは２．５ｍｍ以下が好ましく、２．２ｍｍ以下が特に好ましい。カバー８の比重は０．９０以上が好ましく、０．９５以上が特に好ましい。カバー８の比重は１．１０以下が好ましく、１．０５以下が特に好ましい。カバー８が、２以上の層を有してもよい。
【００３２】
ゴルフボール２が、中間層６とカバー８との間に、補強層を備えてもよい。補強層は、中間層６と堅固に密着し、カバー８とも堅固に密着する。補強層は、中間層６からのカバー８の剥離を抑制する。補強層は、ポリマー組成物からなる。補強層の基材ポリマーとして、二液硬化型エポキシ樹脂及び二液硬化型ウレタン樹脂が例示される。
【００３３】
図２及び３に示されるように、それぞれのディンプル１０の輪郭は円である。このゴルフボール２は、直径が４．４０ｍｍであるディンプルＡと、直径が４．３０ｍｍであるディンプルＢと、直径が４．１５ｍｍであるディンプルＣと、直径が３．９０ｍｍであるディンプルＤと、直径が３．００ｍｍであるディンプルＥとを備えている。ディンプル１０の種類数は、５である。ゴルフボール２が円形ディンプル１０に代えて、又は円形ディンプル１０と共に、非円形ディンプルを有してもよい。
【００３４】
ディンプルＡの数は６０個であり、ディンプルＢの数は１５８個であり、ディンプルＣの数は７２個であり、ディンプルＤの数は３６個であり、ディンプルＥの数は１２個である。ディンプル１０の総数は、３３８個である。これらのディンプル１０とランド１２とにより、ディンプルパターンが形成されている。
【００３５】
図４には、ディンプル１０の中心及びゴルフボール２の中心を通過する平面に沿った、ゴルフボール２の断面が示されている。図４における上下方向は、ディンプル１０の深さ方向である。図４において二点鎖線１４で示されているのは、仮想球である。仮想球１４の表面は、ディンプル１０が存在しないと仮定されたときのゴルフボール２の表面である。仮想球１４の直径は、ゴルフボール２の直径と同一である。ディンプル１０は、仮想球１４の表面から凹陥している。ランド１２は、仮想球１４の表面と一致している。本実施形態では、ディンプル１０の断面形状は、実質的に円弧である。この円弧の曲率半径が、図４において符号ＣＲで示されている。
【００３６】
図４において矢印Ｄｍで示されているのは、ディンプル１０の直径である。この直径Ｄｍは、ディンプル１０の両側に共通する接線Ｔｇが画かれたときの、一方の接点Ｅｄと他方の接点Ｅｄとの距離である。接点Ｅｄは、ディンプル１０のエッジでもある。エッジＥｄは、ディンプル１０の輪郭を画定する。
【００３７】
それぞれのディンプル１０の直径Ｄｍは、２．０ｍｍ以上６．０ｍｍ以下が好ましい。直径Ｄｍが２．０ｍｍ以上であるディンプル１０は、乱流化に寄与する。この観点から、直径Ｄｍは２．５ｍｍ以上がより好ましく、２．８ｍｍ以上が特に好ましい。直径Ｄｍが６．０ｍｍ以下であるディンプル１０は、実質的に球であるというゴルフボール２の本質を損ねない。この観点から、直径Ｄｍは５．５ｍｍ以下がより好ましく、５．０ｍｍ以下が特に好ましい。
【００３８】
非円形ディンプルの場合、この非円形ディンプルの面積と同じ面積を有する円形ディンプル１０が仮想される。この仮想された円形ディンプル１０の直径が、非円形ディンプルの直径と見なされる。
【００３９】
図４において両矢印Ｄｐ１で示されているのは、ディンプル１０の第一深さである。この第一深さＤｐ１は、ディンプル１０の最深部と仮想球１４の表面との距離である。図４において両矢印Ｄｐ２で示されているのは、ディンプル１０の第二深さである。この第二深さＤｐ２は、ディンプル１０の最深部と接線Ｔｇとの距離である。
【００４０】
ゴルフボール２のホップが抑制されるとの観点から、ディンプル１０の第一深さＤｐ１は０．１０ｍｍ以上が好ましく、０．１３ｍｍ以上がより好ましく、０．１５ｍｍ以上が特に好ましい。ゴルフボール２のドロップが抑制されるとの観点から、第一深さＤｐ１は０．６５ｍｍ以下が好ましく、０．６０ｍｍ以下がより好ましく、０．５５ｍｍ以下が特に好ましい。
【００４１】
ディンプル１０の面積ｓは、無限遠からゴルフボール２の中心を見た場合の、ディンプル１０の輪郭に囲まれた領域の面積である。円形ディンプル１０の場合、面積Ｓは下記数式によって算出される。
S = (Dm / 2)２ * π
【００４２】
図２及び３に示されたゴルフボール２では、ディンプルＡの面積は１５．２０ｍｍ２であり、ディンプルＢの面積は１４．５２ｍｍ２であり、ディンプルＣの面積は１３．５３ｍｍ２であり、ディンプルＤの面積は１１．９５ｍｍ２であり、ディンプルＥの面積は７．０７ｍｍ２である。
【００４３】
本発明では、全てのディンプル１０の面積Ｓの合計の、仮想球１４の表面積に対する比率は、占有率と称される。十分な乱流化が得られるとの観点から、占有率は７８％以上が好ましく、８０％以上がより好ましく、８２％以上が特に好ましい。占有率は、９５％以下が好ましい。図２及び３に示されたゴルフボール２では、ディンプル１０の合計面積は４６９５．４ｍｍ２である。このゴルフボール２の仮想球１４の表面積は５７２８ｍｍ２なので、占有率は８２．０％である。
【００４４】
十分な占有率が達成されるとの観点から、ディンプル１０の総数Ｎは２５０個以上が好ましく、２８０個以上がより好ましく、３００個以上が特に好ましい。個々のディンプル１０が乱流化に寄与しうるとの観点から、総数Ｎは４５０個以下が好ましく、４００個以下がより好ましく、３８０個以下が特に好ましい。
【００４５】
本発明において「ディンプルの容積Ｖ」とは、仮想球１４の表面とディンプル１０の表面とに囲まれた部分の容積を意味する。ディンプル１０の総容積ＴＶは、４５０ｍｍ３以上７５０ｍｍ３以下が好ましい。総容積ＴＶが４５０ｍｍ３以上であるゴルフボール２では、飛行中のホップが抑制される。この観点から、総容積ＴＶは４８０ｍｍ３以上がより好ましく、５００ｍｍ３以上が特に好ましい。総容積ＴＶが７５０ｍｍ３以下であるゴルフボール２では、飛行中のドロップが抑制される。この観点から、総容積ＴＶは７３０ｍｍ３以下がより好ましく、７１０ｍｍ３以下が特に好ましい。
【００４６】
本発明に係るゴルフボール２は、優れた空力特性を有する。この空力特性の評価方法は、
（ａ）仮想球１４の表面に存在し、かつ軸Ａｘと直交する大円が想定されるステップ、
（ｂ）仮想球１４の表面に存在し、軸Ａｘと直交し、かつ大円との中心角の絶対値が３０°である２つの小円が想定されるステップ、
（ｃ）これらの小円によりゴルフボール２の表面が区画され、この表面のうちこれら小円に挟まれた領域が特定されるステップ、
（ｄ）この領域に、軸方向において中心角度で３°刻みであり回転方向において中心角で０．２５°刻みに、３０２４０の点が決定されるステップ、
（ｅ）それぞれの点から軸Ａｘに下ろした垂線の長さＬ１が算出されるステップ
（ｆ）軸方向に並ぶ２１個の垂線に基づいて算出された２１個の長さＬ１が合計され、総長さＬ２が算出されるステップ、
（ｇ）回転方向に沿って算出される１４４０個の総長さＬ２のデータ群に、フーリエ変換がなされ、変換データ群が得られるステップ、
並びに
（ｈ）変換データ群の最大ピークのピーク値及び次数が算出されるステップ
が実行される。各ステップが、以下に詳説される。
【００４７】
図５は、この評価方法が説明されるための模式図である。図５には、ゴルフボール２の仮想球１４が示されている。図５において符号ＮＰで示されているのは、北極点である。北極点ＮＰは、ゴルフボール２の成形のための上型によって形成されるキャビティ面の、頂点に相当する。符号ＳＰで示されているのは、南極点である。南極点ＳＰは、ゴルフボール２の成形のための下型によって形成されるキャビティ面の、最深部に相当する。符号Ｅｑで示されているのは、赤道である。この赤道Ｅｑにより、仮想球１４は、北半球ＮＨと南半球ＳＨとに区画されうる。
【００４８】
北極点ＮＰの緯度は、９０°（degree）である。赤道Ｅｑの緯度θは、ゼロである。南極点ＳＰの緯度は、−９０°である。この仮想球１４が北極点ＮＰから見られたときの反時計回りの方向が、経度φの正の方向である。φの最小値は、ゼロである。φの最大値は、３６０°である。仮想球１４の表面に存在する点の球面極座標は、（θ，φ）で表される。図５では、点（０，０）が正面に位置している。
【００４９】
図５において符号Ｌｏａで示されているのは、第一緯線である。第一緯線Ｌｏａの緯度φは、０°でありかつ３６０°でもある。仮想球１４は、無数の緯線を有する。中心交差するディンプル１０の数が最大である緯線が、第一緯線Ｌｏａと定められる。緯線と中心交差するディンプル１０では、そのディンプル１０の面積重心を、緯線が通過する。
【００５０】
この評価方法では、第一軸Ａｘ１が想定される。この第一軸Ａｘ１は、点Ｐｎ１及び点Ｐｓ１を通過する。点Ｐｎ１及び点Ｐｓ１は、仮想球１４の表面に存在する。点Ｐｎ１は、北半球ＮＨに存在する。点Ｐｎ１の座標は、（７５，２７０）である。点Ｐｓ１は、南半球ＳＨに存在する。点Ｐｓ１の座標は、（−７５，９０）である。第一軸Ａｘ１は、地軸に対して傾いている。傾きの角度は、１５°である。地軸は、北極点ＮＰ及び南極点ＳＰを通過する線である。
【００５１】
この評価方法では、ゴルフボール２の仮想球１４の表面に存在する第一大円ＧＣ１が想定される。この第一大円ＧＣ１に、第一軸Ａｘ１が直交する。換言すれば、第一大円ＧＣ１を含む平面に、第一軸Ａｘ１が直交する。図５において、第一大円ＧＣ１は、赤道Ｅｑに対して傾いている。傾きの角度は、１５°である。大円とは、仮想球の表面に存在しており、かつその直径が仮想球の直径と同一である円である。
【００５２】
ゴルフボール２は、第一軸Ａｘ１を中心として回転する。この回転のとき、第一大円ＧＣ１の周速は速い。従って、第一大円ＧＣ１及びその近傍におけるゴルフボール２の表面粗さは、ゴルフボール２の飛行性能に大きく影響する。
【００５３】
この評価方法では、仮想球１４の表面に存在しかつ第一軸Ａｘ１と直交する２つの小円Ｃ１、Ｃ２が、想定される。図６には、これら小円Ｃ１、Ｃ２が示されている。それぞれの小円は、第一大円ＧＣ１と平行である。
【００５４】
図７には、図６のゴルフボール２の一部の断面が模式的に示されている。図７には、ゴルフボール２の中心Ｏを通過する断面が示されている。図７の左右方向は、第一軸Ａｘ１の方向である。図７に示されるように、小円Ｃ１と第一大円ＧＣ１との中心角の絶対値は、３０°である。図示されていないが、小円Ｃ２と第一大円ＧＣ１との中心角の絶対値も、３０°である。これらの小円Ｃ１、Ｃ２により上記ゴルフボール２が区画され、ゴルフボール２の表面のうちこれら小円に挟まれた領域が特定される。第一大円ＧＣ１の周速が速いので、この領域に存在するディンプル１０は、ゴルフボール２の空力特性に大きな影響を与える。
【００５５】
図７における点Ｐ（α）は、ゴルフボール２の表面に位置し、かつ第一大円ＧＣ１との中心角がα°（ｄｅｇｒｅｅ）である点である。点Ｆ（α）は、点Ｐ（α）から第一軸Ａｘ１に下ろした垂線Ｐｅ（α）の足である。矢印Ｌ１（α）で示されているのは、垂線Ｐｅ（α）の長さである。換言すれば、長さＬ１（α）は、点Ｐ（α）と第一軸Ａｘ１との距離である。１つの断面において、２１個の点Ｐ（α）に関し、長さＬ１（α）が算出される。具体的には、−３０°、−２７°、−２４°、−２１°、−１８°、−１５°、−１２°、−９°、−６°、−３°、０°、３°、６°、９°、１２°、１５°、１８°、２１°、２４°、２７°及び３０°の角度αに関し、長さＬ１（α）が算出される。２１個の長さＬ１（α）が合計され、総長さＬ２（ｍｍ）が得られる。総長さＬ２は、図７に示された断面における、表面の形状に依存するパラメータである。
【００５６】
図８には、ゴルフボール２の一部の断面が示されている。図８において紙面垂直方向が、第一軸Ａｘ１の方向である。図８において符号βで示されているのは、ゴルフボール２の回転角度である。０°以上３６０°未満の範囲において、０．２５°刻みに、回転角度βが設定される。それぞれの回転角度ごとに、総長さＬ２が算出される。この結果、回転方向に沿って１４４０の総長さＬ２が得られる。これらの総長さＬ２は、ゴルフボール２の１回転によって算出されたデータ群である。このデータ群は、３０２４０個の長さＬ１に基づいて算出されたものである。
【００５７】
図２及び３に示されたゴルフボール２の、第一軸Ａｘ１に関するデータ群がプロットされたグラフが、図９に示されている。このグラフでは、横軸は回転角度βであり、縦軸は総長さＬ２である。このデータ群に、フーリエ変換がなされる。フーリエ変換により、周波数スペクトルが得られる。換言すれば、フーリエ変換により、下記数式で表されるフーリエ級数の係数が得られる。
【００５８】
【数１】
2018094129.tif 000003
【００５９】
上記数式は、互いの周期が異なる２つの三角関数の組み合わせである。上記数式において、ａｎ及びｂｎは、フーリエ係数である。合成される各成分の大きさは、これらフーリエ係数によって決まる。それぞれの係数は、下記数式で表される。
【００６０】
【数２】
2018094129.tif 000004
【００６１】
この数式において、Ｎはデータ群のデータ総数であり、Ｆｋはデータ群の中のｋ番目の値である。スペクトルは、下記数式で表される。
【００６２】
【数３】
2018094129.tif 000005
【００６３】
フーリエ変換により、変換データ群が得られる。変換データ群がプロットされたグラフが、図１０に示されている。このグラフでは、横軸は次数であり、縦軸は振幅である。このグラフから、最大ピークが決定される。さらに、最大ピークのピーク値Ｐｄ１と、最大ピークの次数Ｆｄ１とが決定される。ピーク値Ｐｄ１及び次数Ｆｄ１は、第一軸Ａｘ１を中心とした回転における空力特性を表す数値である。本実施形態では、ピーク値Ｐｄ１は２７０．２ｍｍであり、次数Ｆｄ１は３３である。
【００６４】
図１１にも、ゴルフボール２の仮想球１４が示されている。図１１には、赤道Ｅｑと、経度φがゼロの経線Ｌｏａとが示されている。図１１では、点（０，０）が正面に位置している。図１１において、符号Ａｘ２で示されているのは、第二軸である。この第二軸Ａｘ２は、点Ｐｎ２及び点Ｐｓ２を通過する。点Ｐｎ２及び点Ｐｓ２は、仮想球１４の表面に存在する。点Ｐｎ２の座標は、（６０，２７０）である。点Ｐｓ２の座標は、（−６０，９０）である。第二軸Ａｘ２は、地軸に対して傾いている。傾きの角度は、３０°である。
【００６５】
図１１には、ゴルフボール２の仮想球１４の表面に存在しかつ第二軸Ａｘ２が直交する第二大円ＧＣ２が、示されている。第二大円ＧＣ２は、赤道Ｅｑに対して傾いている。傾きの角度は、３０°である。
【００６６】
第二軸Ａｘ２を中心とした回転について、第一軸Ａｘ１を中心とした回転と同様の方法で、空力特性が評価される。具体的には、第二軸Ａｘ２を中心とした回転について、２つの小円Ｃ１、Ｃ２が想定される。小円Ｃ１と第二大円ＧＣ２との中心角の絶対値は、３０°である。小円Ｃ２と第二大円ＧＣ２との中心角の絶対値も、３０°である。ゴルフボール２の表面のうちこれら小円に挟まれた領域において、１４４０の総長さＬ２が算出される。換言すれば、第二軸Ａｘ２についてのデータ群が算出される。このデータ群にフーリエ変換がなされ、変換データ群が得られる。変換データ群がプロットされたグラフから、最大ピークのピーク値Ｐｄ２と、最大ピークの次数Ｆｄ２とが決定される。ピーク値Ｐｄ２及び次数Ｆｄ２は、第二軸Ａｘ２を中心とした回転における空力特性を表す数値である。本実施形態では、ピーク値Ｐｄ２は１７７．９ｍｍであり、次数Ｆｄ２は３７である。
【００６７】
図１２にも、ゴルフボール２の仮想球１４が示されている。図１２には、赤道Ｅｑと、経度φがゼロの経線Ｌｏａとが示されている。図１２では、点（０，０）が正面に位置している。図１２において、符号Ａｘ３で示されているのは、第三軸である。この第三軸Ａｘ３は、点Ｐｎ３及び点Ｐｓ３を通過する。点Ｐｎ３及び点Ｐｓ３は、仮想球１４の表面に存在する。点Ｐｎ３の座標は、（４５，２７０）である。点Ｐｓ３の座標は、（−４５，９０）である。第三軸Ａｘ３は、地軸に対して傾いている。傾きの角度は、４５°である。
【００６８】
図１２には、ゴルフボール２の仮想球１４の表面に存在しかつ第三軸Ａｘ３が直交する第三大円ＧＣ３が、示されている。第三大円ＧＣ３は、赤道Ｅｑに対して傾いている。傾きの角度は、４５°である。
【００６９】
第三軸Ａｘ３を中心とした回転について、第一軸Ａｘ１を中心とした回転と同様の方法で、空力特性が評価される。具体的には、第三軸Ａｘ３を中心とした回転について、２つの小円Ｃ１、Ｃ２が想定される。小円Ｃ１と第三大円ＧＣ３との中心角の絶対値は、３０°である。小円Ｃ２と第三大円ＧＣ３との中心角の絶対値も、３０°である。ゴルフボール２の表面のうちこれら小円に挟まれた領域において、１４４０の総長さＬ２が算出される。換言すれば、第三軸Ａｘ３についてのデータ群が算出される。このデータ群にフーリエ変換がなされ、変換データ群が得られる。変換データ群がプロットされたグラフから、最大ピークのピーク値Ｐｄ３と、最大ピークの次数Ｆｄ３とが決定される。ピーク値Ｐｄ３及び次数Ｆｄ３は、第三軸Ａｘ３を中心とした回転における空力特性を表す数値である。本実施形態では、ピーク値Ｐｄ３は１５０．２ｍｍであり、次数Ｆｄ３は３７である。
【００７０】
図１３にも、ゴルフボール２の仮想球１４が示されている。図１３には、赤道Ｅｑと、経度φがゼロの経線Ｌｏａとが示されている。図１３では、点（０，０）が正面に位置している。図１３において、符号Ａｘ４で示されているのは、第四軸である。この第四軸Ａｘ４は、点Ｐｎ４及び点Ｐｓ４を通過する。点Ｐｎ４及び点Ｐｓ４は、仮想球１４の表面に存在する。点Ｐｎ４の座標は、（３０，２７０）である。点Ｐｓ４の座標は、（−３０，９０）である。第四軸Ａｘ４は、地軸に対して傾いている。傾きの角度は、６０°である。
【００７１】
図１３には、ゴルフボール２の仮想球１４の表面に存在しかつ第四軸Ａｘ４が直交する第四大円ＧＣ４が、示されている。第四大円ＧＣ４は、赤道Ｅｑに対して傾いている。傾きの角度は、６０°である。
【００７２】
第四軸Ａｘ４を中心とした回転について、第一軸Ａｘ１を中心とした回転と同様の方法で、空力特性が評価される。具体的には、第四軸Ａｘ４を中心とした回転について、２つの小円Ｃ１、Ｃ２が想定される。小円Ｃ１と第四大円ＧＣ４との中心角の絶対値は、３０°である。小円Ｃ２と第四大円ＧＣ４との中心角の絶対値も、３０°である。ゴルフボール２の表面のうちこれら小円に挟まれた領域において、１４４０の総長さＬ２が算出される。換言すれば、第四軸Ａｘ４についてのデータ群が算出される。このデータ群にフーリエ変換がなされ、変換データ群が得られる。変換データ群がプロットされたグラフから、最大ピークのピーク値Ｐｄ４と、最大ピークの次数Ｆｄ４とが決定される。ピーク値Ｐｄ４及び次数Ｆｄ４は、第四軸Ａｘ４を中心とした回転における空力特性を表す数値である。本実施形態では、ピーク値Ｐｄ４は３１６．４ｍｍであり、次数Ｆｄ４は３４である。
【００７３】
図１４にも、ゴルフボール２の仮想球１４が示されている。図１４には、赤道Ｅｑと、経度φがゼロの経線Ｌｏａとが示されている。図１４では、点（０，０）が正面に位置している。図１４において、符号Ａｘ５で示されているのは、第五軸である。この第五軸Ａｘ５は、点Ｐｎ５及び点Ｐｓ５を通過する。点Ｐｎ５及び点Ｐｓ５は、仮想球１４の表面に存在する。点Ｐｎ５の座標は、（１５，２７０）である。点Ｐｓ５の座標は、（−１５，９０）である。第五軸Ａｘ５は、地軸に対して傾いている。傾きの角度は、７５°である。
【００７４】
図１４には、ゴルフボール２の仮想球１４の表面に存在しかつ第五軸Ａｘ５が直交する第五大円ＧＣ５が、示されている。第五大円ＧＣ５は、赤道Ｅｑに対して傾いている。傾きの角度は、７５°である。
【００７５】
第五軸Ａｘ５を中心とした回転について、第一軸Ａｘ１を中心とした回転と同様の方法で、空力特性が評価される。具体的には、第五軸Ａｘ５を中心とした回転について、２つの小円Ｃ１、Ｃ２が想定される。小円Ｃ１と第五大円ＧＣ５との中心角の絶対値は、３０°である。小円Ｃ２と第五大円ＧＣ５との中心角の絶対値も、３０°である。ゴルフボール２の表面のうちこれら小円に挟まれた領域において、１４４０の総長さＬ２が算出される。換言すれば、第五軸Ａｘ５についてのデータ群が算出される。このデータ群にフーリエ変換がなされ、変換データ群が得られる。変換データ群がプロットされたグラフから、最大ピークのピーク値Ｐｄ５と、最大ピークの次数Ｆｄ５とが決定される。ピーク値Ｐｄ５及び次数Ｆｄ５は、第五軸Ａｘ５を中心とした回転における空力特性を表す数値である。本実施形態では、ピーク値Ｐｄ５は１９０．０ｍｍであり、次数Ｆｄ５は２７である。
【００７６】
図１５にも、ゴルフボール２の仮想球１４が示されている。図１５には、赤道Ｅｑと、経度φが９０°である経線Ｌｏｂとが示されている。図１５では、点（０，９０）が正面に位置している。図１５において、符号Ａｘ６で示されているのは、第六軸である。この第六軸Ａｘ６は、点Ｐｎ６及び点Ｐｓ６を通過する。点Ｐｎ６及び点Ｐｓ６は、仮想球１４の表面に存在する。点Ｐｎ６の座標は、（７５，０）である。点Ｐｓ６の座標は、（−７５，１８０）である。第六軸Ａｘ６は、地軸に対して傾いている。傾きの角度は、１５°である。
【００７７】
図１５には、ゴルフボール２の仮想球１４の表面に存在しかつ第六軸Ａｘ６が直交する第六大円ＧＣ６が、示されている。第六大円ＧＣ６は、赤道Ｅｑに対して傾いている。傾きの角度は、１５°である。
【００７８】
第六軸Ａｘ６を中心とした回転について、第一軸Ａｘ１を中心とした回転と同様の方法で、空力特性が評価される。具体的には、第六軸Ａｘ６を中心とした回転について、２つの小円Ｃ１、Ｃ２が想定される。小円Ｃ１と第六大円ＧＣ６との中心角の絶対値は、３０°である。小円Ｃ２と第六大円ＧＣ６との中心角の絶対値も、３０°である。ゴルフボール２の表面のうちこれら小円に挟まれた領域において、１４４０の総長さＬ２が算出される。換言すれば、第六軸Ａｘ６についてのデータ群が算出される。このデータ群にフーリエ変換がなされ、変換データ群が得られる。変換データ群がプロットされたグラフから、最大ピークのピーク値Ｐｄ６と、最大ピークの次数Ｆｄ６とが決定される。ピーク値Ｐｄ６及び次数Ｆｄ６は、第六軸Ａｘ６を中心とした回転における空力特性を表す数値である。本実施形態では、ピーク値Ｐｄ６は２７０．２ｍｍであり、次数Ｆｄ６は３３である。
【００７９】
図１６にも、ゴルフボール２の仮想球１４が示されている。図１６には、赤道Ｅｑと、経度φが９０°である経線Ｌｏｂとが示されている。図１６では、点（０，９０）が正面に位置している。図１６において、符号Ａｘ７で示されているのは、第七軸である。この第七軸Ａｘ７は、点Ｐｎ７及び点Ｐｓ７を通過する。点Ｐｎ７及び点Ｐｓ７は、仮想球１４の表面に存在する。点Ｐｎ７の座標は、（６０，０）である。点Ｐｓ７の座標は、（−６０，１８０）である。第七軸Ａｘ７は、地軸に対して傾いている。傾きの角度は、３０°である。
【００８０】
図１６には、ゴルフボール２の仮想球１４の表面に存在しかつ第七軸Ａｘ７が直交する第七大円ＧＣ７が、示されている。第七大円ＧＣ７は、赤道Ｅｑに対して傾いている。傾きの角度は、３０°である。
【００８１】
第七軸Ａｘ７を中心とした回転について、第一軸Ａｘ１を中心とした回転と同様の方法で、空力特性が評価される。具体的には、第七軸Ａｘ７を中心とした回転について、２つの小円Ｃ１、Ｃ２が想定される。小円Ｃ１と第七大円ＧＣ７との中心角の絶対値は、３０°である。小円Ｃ２と第七大円ＧＣ７との中心角の絶対値も、３０°である。ゴルフボール２の表面のうちこれら小円に挟まれた領域において、１４４０の総長さＬ２が算出される。換言すれば、第七軸Ａｘ７についてのデータ群が算出される。このデータ群にフーリエ変換がなされ、変換データ群が得られる。変換データ群がプロットされたグラフから、最大ピークのピーク値Ｐｄ７と、最大ピークの次数Ｆｄ７とが決定される。ピーク値Ｐｄ７及び次数Ｆｄ７は、第七軸Ａｘ７を中心とした回転における空力特性を表す数値である。本実施形態では、ピーク値Ｐｄ７は１７７．９ｍｍであり、次数Ｆｄ７は３７である。
【００８２】
図１７にも、ゴルフボール２の仮想球１４が示されている。図１７には、赤道Ｅｑと、経度φが９０°である経線Ｌｏｂとが示されている。図１７では、点（０，９０）が正面に位置している。図１７において、符号Ａｘ８で示されているのは、第八軸である。この第八軸Ａｘ８は、点Ｐｎ８及び点Ｐｓ８を通過する。点Ｐｎ８及び点Ｐｓ８は、仮想球１４の表面に存在する。点Ｐｎ８の座標は、（４５，０）である。点Ｐｓ８の座標は、（−４５，１８０）である。第八軸Ａｘ８は、地軸に対して傾いている。傾きの角度は、４５°である。
【００８３】
図１７には、ゴルフボール２の仮想球１４の表面に存在しかつ第八軸Ａｘ８が直交する第八大円ＧＣ８が、示されている。第八大円ＧＣ８は、赤道Ｅｑに対して傾いている。傾きの角度は、４５°である。
【００８４】
第八軸Ａｘ８を中心とした回転について、第一軸Ａｘ１を中心とした回転と同様の方法で、空力特性が評価される。具体的には、第八軸Ａｘ８を中心とした回転について、２つの小円Ｃ１、Ｃ２が想定される。小円Ｃ１と第八大円ＧＣ８との中心角の絶対値は、３０°である。小円Ｃ２と第八大円ＧＣ８との中心角の絶対値も、３０°である。ゴルフボール２の表面のうちこれら小円に挟まれた領域において、１４４０の総長さＬ２が算出される。換言すれば、第八軸Ａｘ８についてのデータ群が算出される。このデータ群にフーリエ変換がなされ、変換データ群が得られる。変換データ群がプロットされたグラフから、最大ピークのピーク値Ｐｄ８と、最大ピークの次数Ｆｄ８とが決定される。ピーク値Ｐｄ８及び次数Ｆｄ８は、第八軸Ａｘ８を中心とした回転における空力特性を表す数値である。本実施形態では、ピーク値Ｐｄ８は１５０．２ｍｍであり、次数Ｆｄ８は３７である。
【００８５】
図１８にも、ゴルフボール２の仮想球１４が示されている。図１８には、赤道Ｅｑと、経度φが９０°である経線Ｌｏｂとが示されている。図１８では、点（０，９０）が正面に位置している。図１８において、符号Ａｘ９で示されているのは、第九軸である。この第九軸Ａｘ９は、点Ｐｎ９及び点Ｐｓ９を通過する。点Ｐｎ９及び点Ｐｓ９は、仮想球１４の表面に存在する。点Ｐｎ９の座標は、（３０，０）である。点Ｐｓ９の座標は、（−３０，１８０）である。第九軸Ａｘ９は、地軸に対して傾いている。傾きの角度は、６０°である。
【００８６】
図１８には、ゴルフボール２の仮想球１４の表面に存在しかつ第九軸Ａｘ９が直交する第九大円ＧＣ９が、示されている。第九大円ＧＣ９は、赤道Ｅｑに対して傾いている。傾きの角度は、６０°である。
【００８７】
第九軸Ａｘ９を中心とした回転について、第一軸Ａｘ１を中心とした回転と同様の方法で、空力特性が評価される。具体的には、第九軸Ａｘ９を中心とした回転について、２つの小円Ｃ１、Ｃ２が想定される。小円Ｃ１と第九大円ＧＣ９との中心角の絶対値は、３０°である。小円Ｃ２と第九大円ＧＣ９との中心角の絶対値も、３０°である。ゴルフボール２の表面のうちこれら小円に挟まれた領域において、１４４０の総長さＬ２が算出される。換言すれば、第九軸Ａｘ９についてのデータ群が算出される。このデータ群にフーリエ変換がなされ、変換データ群が得られる。変換データ群がプロットされたグラフから、最大ピークのピーク値Ｐｄ９と、最大ピークの次数Ｆｄ９とが決定される。ピーク値Ｐｄ９及び次数Ｆｄ９は、第九軸Ａｘ９を中心とした回転における空力特性を表す数値である。本実施形態では、ピーク値Ｐｄ９は３１６．４ｍｍであり、次数Ｆｄ９は３４である。
【００８８】
図１９にも、ゴルフボール２の仮想球１４が示されている。図１９には、赤道Ｅｑと、経度φが９０°である経線Ｌｏｂとが示されている。図１９では、点（０，９０）が正面に位置している。図１９において、符号Ａｘ１０で示されているのは、第十軸である。この第十軸Ａｘ１０は、点Ｐｎ１０及び点Ｐｓ１０を通過する。点Ｐｎ１０及び点Ｐｓ１０は、仮想球１４の表面に存在する。点Ｐｎ１０の座標は、（１５，０）である。点Ｐｓ１０の座標は、（−１５，１８０）である。第十軸Ａｘ１０は、地軸に対して傾いている。傾きの角度は、７５°である。
【００８９】
図１９には、ゴルフボール２の仮想球１４の表面に存在しかつ第十軸Ａｘ１０が直交する第十大円ＧＣ１０が、示されている。第十大円ＧＣ１０は、赤道Ｅｑに対して傾いている。傾きの角度は、７５°である。
【００９０】
第十軸Ａｘ１０を中心とした回転について、第一軸Ａｘ１を中心とした回転と同様の方法で、空力特性が評価される。具体的には、第十軸Ａｘ１０を中心とした回転について、２つの小円Ｃ１、Ｃ２が想定される。小円Ｃ１と第十大円ＧＣ１０との中心角の絶対値は、３０°である。小円Ｃ２と第十大円ＧＣ１０との中心角の絶対値も、３０°である。ゴルフボール２の表面のうちこれら小円に挟まれた領域において、１４４０の総長さＬ２が算出される。換言すれば、第十軸Ａｘ１０についてのデータ群が算出される。このデータ群にフーリエ変換がなされ、変換データ群が得られる。変換データ群がプロットされたグラフから、最大ピークのピーク値Ｐｄ１０と、最大ピークの次数Ｆｄ１０とが決定される。ピーク値Ｐｄ１０及び次数Ｆｄ１０は、第十軸Ａｘ１０を中心とした回転における空力特性を表す数値である。本実施形態では、ピーク値Ｐｄ１０は１９０．０ｍｍであり、次数Ｆｄ１０は２７である。
【００９１】
図２０にも、ゴルフボール２の仮想球１４が示されている。図２０には、赤道Ｅｑと、経度φが１８０°である経線Ｌｏｃとが示されている。図２０では、点（０，１８０）が正面に位置している。図２０において、符号Ａｘ１１で示されているのは、第十一軸である。この第十一軸Ａｘ１１は、点Ｐｎ１１及び点Ｐｓ１１を通過する。点Ｐｎ１１及び点Ｐｓ１１は、仮想球１４の表面に存在する。点Ｐｎ１１の座標は、（７５，９０）である。点Ｐｓ１１の座標は、（−７５，２７０）である。第十一軸Ａｘ１１は、地軸に対して傾いている。傾きの角度は、１５°である。
【００９２】
図２０には、ゴルフボール２の仮想球１４の表面に存在しかつ第十一軸Ａｘ１１が直交する第十一大円ＧＣ１１が、示されている。第十一大円ＧＣ１１は、赤道Ｅｑに対して傾いている。傾きの角度は、７５°である。
【００９３】
第十一軸Ａｘ１１を中心とした回転について、第一軸Ａｘ１を中心とした回転と同様の方法で、空力特性が評価される。具体的には、第十一軸Ａｘ１１を中心とした回転について、２つの小円Ｃ１、Ｃ２が想定される。小円Ｃ１と第十一大円ＧＣ１１との中心角の絶対値は、３０°である。小円Ｃ２と第十一大円ＧＣ１１との中心角の絶対値も、３０°である。ゴルフボール２の表面のうちこれら小円に挟まれた領域において、１４４０の総長さＬ２が算出される。換言すれば、第十一軸Ａｘ１１についてのデータ群が算出される。このデータ群にフーリエ変換がなされ、変換データ群が得られる。変換データ群がプロットされたグラフから、最大ピークのピーク値Ｐｄ１１と、最大ピークの次数Ｆｄ１１とが決定される。ピーク値Ｐｄ１１及び次数Ｆｄ１１は、第十一軸Ａｘ１１を中心とした回転における空力特性を表す数値である。本実施形態では、ピーク値Ｐｄ１１は２７０．２ｍｍであり、次数Ｆｄ１１は３３である。
【００９４】
図２１にも、ゴルフボール２の仮想球１４が示されている。図２１には、赤道Ｅｑと、経度φが１８０°である経線Ｌｏｃとが示されている。図２１では、点（０，１８０）が正面に位置している。図２１において、符号Ａｘ１２で示されているのは、第十二軸である。この第十二軸Ａｘ１２は、点Ｐｎ１２及び点Ｐｓ１２を通過する。点Ｐｎ１２及び点Ｐｓ１２は、仮想球１４の表面に存在する。点Ｐｎ１２の座標は、（６０，９０）である。点Ｐｓ１２の座標は、（−６０，２７０）である。第十二軸Ａｘ１２は、地軸に対して傾いている。傾きの角度は、３０°である。
【００９５】
図２１には、ゴルフボール２の仮想球１４の表面に存在しかつ第十二軸Ａｘ１２が直交する第十二大円ＧＣ１２が、示されている。第十二大円ＧＣ１２は、赤道Ｅｑに対して傾いている。傾きの角度は、６０°である。
【００９６】
第十二軸Ａｘ１２を中心とした回転について、第一軸Ａｘ１を中心とした回転と同様の方法で、空力特性が評価される。具体的には、第十二軸Ａｘ１２を中心とした回転について、２つの小円Ｃ１、Ｃ２が想定される。小円Ｃ１と第十二大円ＧＣ１２との中心角の絶対値は、３０°である。小円Ｃ２と第十二大円ＧＣ１２との中心角の絶対値も、３０°である。ゴルフボール２の表面のうちこれら小円に挟まれた領域において、１４４０の総長さＬ２が算出される。換言すれば、第十二軸Ａｘ１２についてのデータ群が算出される。このデータ群にフーリエ変換がなされ、変換データ群が得られる。変換データ群がプロットされたグラフから、最大ピークのピーク値Ｐｄ１２と、最大ピークの次数Ｆｄ１２とが決定される。ピーク値Ｐｄ１２及び次数Ｆｄ１２は、第十二軸Ａｘ１２を中心とした回転における空力特性を表す数値である。本実施形態では、ピーク値Ｐｄ１２は１７７．９ｍｍであり、次数Ｆｄ１２は３７である。
【００９７】
図２２にも、ゴルフボール２の仮想球１４が示されている。図２２には、赤道Ｅｑと、経度φが１８０°である経線Ｌｏｃとが示されている。図２２では、点（０，１８０）が正面に位置している。図２２において、符号Ａｘ１３で示されているのは、第十三軸である。この第十三軸Ａｘ１３は、点Ｐｎ１３及び点Ｐｓ１３を通過する。点Ｐｎ１３及び点Ｐｓ１３は、仮想球１４の表面に存在する。点Ｐｎ１３の座標は、（４５，９０）である。点Ｐｓ１３の座標は、（−４５，２７０）である。第十三軸Ａｘ１３は、地軸に対して傾いている。傾きの角度は、４５°である。
【００９８】
図２２には、ゴルフボール２の仮想球１４の表面に存在しかつ第十三軸Ａｘ１３が直交する第十三大円ＧＣ１３が、示されている。第十三大円ＧＣ１３は、赤道Ｅｑに対して傾いている。傾きの角度は、４５°である。
【００９９】
第十三軸Ａｘ１３を中心とした回転について、第一軸Ａｘ１を中心とした回転と同様の方法で、空力特性が評価される。具体的には、第十三軸Ａｘ１３を中心とした回転について、２つの小円Ｃ１、Ｃ２が想定される。小円Ｃ１と第十三大円ＧＣ１３との中心角の絶対値は、３０°である。小円Ｃ２と第十三大円ＧＣ１３との中心角の絶対値も、３０°である。ゴルフボール２の表面のうちこれら小円に挟まれた領域において、１４４０の総長さＬ２が算出される。換言すれば、第十三軸Ａｘ１３についてのデータ群が算出される。このデータ群にフーリエ変換がなされ、変換データ群が得られる。変換データ群がプロットされたグラフから、最大ピークのピーク値Ｐｄ１３と、最大ピークの次数Ｆｄ１３とが決定される。ピーク値Ｐｄ１３及び次数Ｆｄ１３は、第十三軸Ａｘ１３を中心とした回転における空力特性を表す数値である。本実施形態では、ピーク値Ｐｄ１３は１５０．２ｍｍであり、次数Ｆｄ１３は３７である。
【０１００】
図２３にも、ゴルフボール２の仮想球１４が示されている。図２３には、赤道Ｅｑと、経度φが１８０°である経線Ｌｏｃとが示されている。図２３では、点（０，１８０）が正面に位置している。図２３において、符号Ａｘ１４で示されているのは、第十四軸である。この第十四軸Ａｘ１４は、点Ｐｎ１４及び点Ｐｓ１４を通過する。点Ｐｎ１４及び点Ｐｓ１４は、仮想球１４の表面に存在する。点Ｐｎ１４の座標は、（３０，９０）である。点Ｐｓ１４の座標は、（−３０，２７０）である。第十四軸Ａｘ１４は、地軸に対して傾いている。傾きの角度は、６０°である。
【０１０１】
図２３には、ゴルフボール２の仮想球１４の表面に存在しかつ第十四軸Ａｘ１４が直交する第十四大円ＧＣ１４が、示されている。第十四大円ＧＣ１４は、赤道Ｅｑに対して傾いている。傾きの角度は、６０°である。
【０１０２】
第十四軸Ａｘ１４を中心とした回転について、第一軸Ａｘ１を中心とした回転と同様の方法で、空力特性が評価される。具体的には、第十四軸Ａｘ１４を中心とした回転について、２つの小円Ｃ１、Ｃ２が想定される。小円Ｃ１と第十四大円ＧＣ１４との中心角の絶対値は、３０°である。小円Ｃ２と第十四大円ＧＣ１４との中心角の絶対値も、３０°である。ゴルフボール２の表面のうちこれら小円に挟まれた領域において、１４４０の総長さＬ２が算出される。換言すれば、第十四軸Ａｘ１４についてのデータ群が算出される。このデータ群にフーリエ変換がなされ、変換データ群が得られる。変換データ群がプロットされたグラフから、最大ピークのピーク値Ｐｄ１４と、最大ピークの次数Ｆｄ１４とが決定される。ピーク値Ｐｄ１４及び次数Ｆｄ１４は、第十四軸Ａｘ１４を中心とした回転における空力特性を表す数値である。本実施形態では、ピーク値Ｐｄ１４は３１６．４ｍｍであり、次数Ｆｄ１４は３４である。
【０１０３】
図２４にも、ゴルフボール２の仮想球１４が示されている。図２４には、赤道Ｅｑと、経度φが１８０°である経線Ｌｏｃとが示されている。図２４では、点（０，１８０）が正面に位置している。図２４において、符号Ａｘ１５で示されているのは、第十五軸である。この第十五軸Ａｘ１５は、点Ｐｎ１５及び点Ｐｓ１５を通過する。点Ｐｎ１５及び点Ｐｓ１５は、仮想球１４の表面に存在する。点Ｐｎ１５の座標は、（１５，９０）である。点Ｐｓ１５の座標は、（−１５，２７０）である。第十五軸Ａｘ１５は、地軸に対して傾いている。傾きの角度は、７５°である。
【０１０４】
図２４には、ゴルフボール２の仮想球１４の表面に存在しかつ第十五軸Ａｘ１５が直交する第十五大円ＧＣ１５が、示されている。第十五大円ＧＣ１５は、赤道Ｅｑに対して傾いている。傾きの角度は、７５°である。
【０１０５】
第十五軸Ａｘ１５を中心とした回転について、第一軸Ａｘ１を中心とした回転と同様の方法で、空力特性が評価される。具体的には、第十五軸Ａｘ１５を中心とした回転について、２つの小円Ｃ１、Ｃ２が想定される。小円Ｃ１と第十五大円ＧＣ１５との中心角の絶対値は、３０°である。小円Ｃ２と第十五大円ＧＣ１５との中心角の絶対値も、３０°である。ゴルフボール２の表面のうちこれら小円に挟まれた領域において、１４４０の総長さＬ２が算出される。換言すれば、第十五軸Ａｘ１５についてのデータ群が算出される。このデータ群にフーリエ変換がなされ、変換データ群が得られる。変換データ群がプロットされたグラフから、最大ピークのピーク値Ｐｄ１５と、最大ピークの次数Ｆｄ１５とが決定される。ピーク値Ｐｄ１５及び次数Ｆｄ１５は、第十五軸Ａｘ１５を中心とした回転における空力特性を表す数値である。本実施形態では、ピーク値Ｐｄ１５は１９０．０ｍｍであり、次数Ｆｄ１５は２７である。
【０１０６】
この評価方法では、
（１）座標が（７５，２７０）である点Ｐｎ１と座標が（−７５，９０）である点Ｐｓ１とを通過する第一軸Ａｘ１、
（２）座標が（６０，２７０）である点Ｐｎ２と座標が（−６０，９０）である点Ｐｓ２とを通過する第二軸Ａｘ２、
（３）座標が（４５，２７０）である点Ｐｎ３と座標が（−４５，９０）である点Ｐｓ３とを通過する第三軸Ａｘ３、
（４）座標が（３０，２７０）である点Ｐｎ４と座標が（−３０，９０）である点Ｐｓ４とを通過する第四軸Ａｘ４、
（５）座標が（１５，２７０）である点Ｐｎ５と座標が（−１５，９０）である点Ｐｓ５とを通過する第五軸Ａｘ５、
（６）座標が（７５，０）である点Ｐｎ６と座標が（−７５，１８０）である点Ｐｓ６とを通過する第六軸Ａｘ６、
（７）座標が（６０，０）である点Ｐｎ７と座標が（−６０，１８０）である点Ｐｓ７とを通過する第七軸Ａｘ７、
（８）座標が（４５，０）である点Ｐｎ８と座標が（−４５，１８０）である点Ｐｓ８とを通過する第八軸Ａｘ８、
（９）座標が（３０，０）である点Ｐｎ９と座標が（−３０，１８０）である点Ｐｓ９とを通過する第九軸Ａｘ９、
（１０）座標が（１５，０）である点Ｐｎ１０と座標が（−１５，１８０）である点Ｐｓ１０とを通過する第十軸Ａｘ１０、
（１１）座標が（７５，９０）である点Ｐｎ１１と座標が（−７５，２７０）である点Ｐｓ１１とを通過する第十一軸Ａｘ１１、
（１２）座標が（６０，９０）である点Ｐｎ１２と座標が（−６０，２７０）である点Ｐｓ１２とを通過する第十二軸Ａｘ１２、
（１３）座標が（４５，９０）である点Ｐｎ１３と座標が（−４５，２７０）である点Ｐｓ１３とを通過する第十三軸Ａｘ１３、
（１４）座標が（３０，９０）である点Ｐｎ１４と座標が（−３０，２７０）である点Ｐｓ１４とを通過する第十四軸Ａｘ１４、
及び
（１５）座標が（１５，９０）である点Ｐｎ１５と座標が（−１５，２７０）である点Ｐ１５ｓとを通過する第十五軸Ａｘ１５
の、１５の軸Ａｘのそれぞれについて、ステップ（ａ）−（ｈ）が実行される。これにより、１５のピーク値（Ｐｄ１−Ｐｄ１５）と１５の次数（Ｆｄ１−Ｆｄ１５）とが算出される。
【０１０７】
１５のピーク値（Ｐｄ１−Ｐｄ１５）の中で最小のものは、Ｐｄ３、Ｐｄ８及びＰｄ１３である。ピーク値Ｐｄの最小値は、１５０．２ｍｍである。本発明者が得た知見によれば、最小値は９５ｍｍ以上が好ましい。最小値が９５ｍｍ以上であるゴルフボール２では、いずれの軸Ａｘに基づく回転のときにも、十分なディンプル効果が発揮されうる。このゴルフボール２の飛距離は、大きい。この観点から、ピーク値Ｐｄの最小値は１２０ｍｍ以上がより好ましく、１４０ｍｍ以上が特に好ましい。
【０１０８】
１５のピーク値（Ｐｄ１−Ｐｄ１５）の中で最大のものは、Ｐｄ４、Ｐｄ９及びＰｄ１４である。ピーク値Ｐｄの最大値は、３１６．４ｍｍである。本発明者が得た知見によれば、最大値は５００ｍｍ以下が好ましい。最大値が５００ｍｍ以下であるゴルフボール２は、空力特性に優れる。このゴルフボール２の飛距離は、大きい。この観点から、ピーク値Ｐｄの最大値は４００ｍｍ以下がより好ましく、３３０ｍｍ以下が特に好ましい。
【０１０９】
１５のピーク値（Ｐｄ１−Ｐｄ１５）の平均値は、２００ｍｍ以上が好ましい。平均値が２００ｍｍ以上であるゴルフボール２は空力特性に優れる。このゴルフボール２の飛距離は、大きい。この観点から、平均値は２１０ｍｍ以上がより好ましく、２２０ｍｍ以上が特に好ましい。平均値は３００ｍｍ以下が好ましく、２３０ｍｍ以下が特に好ましい。本実施形態では、平均値は２２０．９ｍｍである。
【０１１０】
１５の次数（Ｆｄ１−Ｆｄ１５）の中で最小のものは、Ｆｄ５、Ｆｄ１０及びＦｄ１５である。次数Ｆｄの最小値は、２７である。本発明者が得た知見によれば、最小値は２７以上が好ましい。最小値が２７以上であるゴルフボール２は、空力特性に優れる。このゴルフボール２の飛距離は、大きい。
【０１１１】
１５の次数（Ｆｄ１−Ｆｄ１５）の中で最大のものは、Ｆｄ２、Ｆｄ３、Ｆｄ７、Ｆｄ８、Ｆｄ１２及びＦｄ１３である。次数Ｆｄの最大値は、３７である。本発明者が得た知見によれば、最大値は３７以下が好ましい。最大値が３７以下であるゴルフボール２は、空力特性に優れる。このゴルフボール２の飛距離は、大きい。
【０１１２】
１５の次数（Ｆｄ１−Ｆｄ１５）の平均値は、３０以上３４以下が好ましい。平均値がこの範囲内であるゴルフボール２は、空力特性に優れる。このゴルフボール２の飛距離は、大きい。本実施形態では、平均値は、３３．６である。
【０１１３】
この方法では、１５の軸Ａｘに基づく１５のピーク値Ｐｄ及び１５の次数Ｆｄによってゴルフボール２が評価される。この方法により、ゴルフボール２の空力特性が客観的に評価されうる。
【実施例】
【０１１４】
以下、実施例によって本発明の効果が明らかにされるが、この実施例の記載に基づいて本発明が限定的に解釈されるべきではない。
【０１１５】
［実施例１］
１００質量部のハイシスポリブタジエン（ＪＳＲ社の商品名「ＢＲ−７３０」）、２２．５質量部のアクリル酸亜鉛、５質量部の酸化亜鉛、５質量部の硫酸バリウム、０．５質量部のジフェニルジスルフィド及び０．６質量部のジクミルパーオキサイドを混練し、ゴム組成物を得た。このゴム組成物を共に半球状キャビティを備えた上型及び下型からなる金型に投入し、１７０℃で１８分間加熱して、直径が３８．５ｍｍであるコアを得た。
【０１１６】
５０質量部のアイオノマー樹脂（三井デュポンポリケミカル社の商品名「ハイミラン１６０５」）、５０質量部の他のアイオノマー樹脂（三井デュポンポリケミカル社の商品名「ハイミランＡＭ７３２９」）及び４質量部の二酸化チタンを二軸混練押出機で混練し、樹脂組成物を得た。この樹脂組成物を射出成形法にてコアの周りに被覆し、中間層を形成した。この中間層の厚みは、１．６ｍｍであった。
【０１１７】
二液硬化型エポキシ樹脂を基材ポリマーとする塗料組成物（神東塗料社の商品名「ポリン７５０ＬＥ）を調製した。この塗料組成物の主剤液は、３０質量部のビスフェノールＡ型固形エポキシ樹脂と、７０質量部の溶剤とからなる。この塗料組成物の硬化剤液は、４０質量部の変性ポリアミドアミンと、５５質量部の溶剤と、５質量部の二酸化チタンとからなる。主剤液と硬化剤液との質量比は、１／１である。この塗料組成物を中間層の表面にスプレーガンで塗布し、２３℃の雰囲気下で６時間保持して、補強層を得た。この補強層の厚みは、１０μｍであった。
【０１１８】
１００質量部の熱可塑性ポリウレタンエラストマー（ＢＡＳＦジャパン社の商品名「エラストランＸＮＹ８５Ａ」）及び４質量部の二酸化チタンを二軸押出機で混練し、樹脂組成物を得た。この樹脂組成物から、圧縮成形法にて、ハーフシェルを得た。２枚のハーフシェルで、コア、中間層及び補強層からなる球体を被覆した。これらのハーフシェル及び球体を、共に半球状キャビティを備え、キャビティ面に多数のピンプルを備えた上型及び下型からなるファイナル金型に投入し、圧縮成形法にてカバーを得た。カバーの厚みは、０．５ｍｍであった。カバーには、ピンプルの形状が反転した形状を有するディンプルが形成された。このカバーの周りに二液硬化型ポリウレタンを基材とするクリアー塗料を塗装し、直径が約４２．７ｍｍであり質量が約４５．６ｇである実施例１のゴルフボールを得た。このゴルフボールのディンプルパターンが、図２及び３に示されている。このゴルフボールのディンプルの仕様が、下記の表１に示されている。このゴルフボールのピーク値（Ｐｄ１−Ｐｄ１５）及び次数（Ｆｄ１−Ｆｄ１５）が、下記の表３に示されている。
【０１１９】
［実施例２及び３並びに比較例１−４］
ディンプルの仕様を下記の表１及び２に示される通りとした他は実施例１と同様にして、実施例２及び３並びに比較例１−４のゴルフボールを得た。それぞれのゴルフボールのピーク値（Ｐｄ１−Ｐｄ１５）及び次数（Ｆｄ１−Ｆｄ１５）が、下記の表３又は４に示されている。
【０１２０】
［フライトテスト］
ゴルフラボラトリー社のスイングマシンに、チタン合金製のヘッドを備えたドライバー（ダンロップスポーツ社の商品名「ＳＲＩＸＯＮ  Ｚ−ＴＸ」、シャフト硬度：Ｘ、ロフト角：８．５°）を装着した。ゴルフボールを、ティの上に置いた。このゴルフボールを、ヘッド速度が５０ｍ／ｓｅｃであり、打ち出し角度が約１０°であり、バックスピン速度が約２５００ｒｐｍである条件で打撃して、発射地点から静止地点までの距離を測定した。テスト時は、ほぼ無風であった。１００回の測定で得られたデータの平均値が、下記の表５及び６に示されている。なお、このティに置かれるときのゴルフボールの向きは、無作為に決定された。従って、バックスピンの軸は、無作為に選定された。
【０１２１】
【表１】
2018094129.tif 000006
【０１２２】
【表２】
2018094129.tif 000007
【０１２３】
【表３】
2018094129.tif 000008
【０１２４】
【表４】
2018094129.tif 000009
【０１２５】
【表５】
2018094129.tif 000010
【０１２６】
【表６】
2018094129.tif 000011
【０１２７】
表５及び６に示されるように、各実施例のゴルフボールは、飛行性能に優れている。この評価結果から、本発明の優位性は明らかである。
【産業上の利用可能性】
【０１２８】
前述のディンプルパターンは、スリーピースゴルフボールのみならず、ワンピースゴルフボール、ツーピースゴルフボール、フォーピースゴルフボール、ファイブピースゴルフボール、シックスピースゴルフボール、糸巻きゴルフボール等、様々な構造を有するゴルフボールに適用されうる。
【符号の説明】
【０１２９】
２・・・ゴルフボール
４・・・コア
６・・・中間層
８・・・カバー
１０・・・ディンプル
１２・・・ランド
１４・・・仮想球
【図１】
2018094129.tif 000012
【図２】
2018094129.tif 000013
【図３】
2018094129.tif 000014
【図４】
2018094129.tif 000015
【図５】
2018094129.tif 000016
【図６】
2018094129.tif 000017
【図７】
2018094129.tif 000018
【図８】
2018094129.tif 000019
【図９】
2018094129.tif 000020
【図１０】
2018094129.tif 000021
【図１１】
2018094129.tif 000022
【図１２】
2018094129.tif 000023
【図１３】
2018094129.tif 000024
【図１４】
2018094129.tif 000025
【図１５】
2018094129.tif 000026
【図１６】
2018094129.tif 000027
【図１７】
2018094129.tif 000028
【図１８】
2018094129.tif 000029
【図１９】
2018094129.tif 000030
【図２０】
2018094129.tif 000031
【図２１】
2018094129.tif 000032
【図２２】
2018094129.tif 000033
【図２３】
2018094129.tif 000034
【図２４】
2018094129.tif 000035
【図２５】
2018094129.tif 000036
【図２６】
2018094129.tif 000037
【図２７】
2018094129.tif 000038
【図２８】
2018094129.tif 000039
【図２９】
2018094129.tif 000040
【図３０】
2018094129.tif 000041
【図３１】
2018094129.tif 000042
【図３２】
2018094129.tif 000043
【図３３】
2018094129.tif 000044
【図３４】
2018094129.tif 000045
【図３５】
2018094129.tif 000046
【図３６】
2018094129.tif 000047